(57)【要約】【課題】寝具類の使い心地を改善する。【解決手段】ジルコニウム、アルミナ、珪素を主原料とするセラミックス粉にトルマリン鉱石粉を配合し、当該セラミックス粉配合物３、３ａ…を添加したポリウレタン原料を発泡させ低反発ウレタンフォーム２として形成することによって、低反発ウレタンフォーム２に上記組成のセラミックス粉配合物３、３ａ…を混在させ、セラミックス粉配合物３、３ａ…が発する遠赤外線で暖める。又、セラミックス粉配合物３、３ａ…を混在させた低反発ウレタンフォーム２に高反発ウレタンフォーム４を積層することによって、高反発ウレタンフォーム４を上側にし、低反発ウレタンフォーム２を下側にして使用させ、寝具類が身体にまとわりつくのを防止すると共に、下層のセラミックス粉配合物３、３ａ…で汗を吸収し、清涼感を与える。【選択図】　　　　図１
2004033337.tif 000002
【特許請求の範囲】
【請求項１】
ジルコニウム、アルミナ、珪素を主原料とするセラミックス粉にトルマリン鉱石粉を配合し、当該セラミックス粉配合物を添加したポリウレタン原料を発泡させ低反発ウレタンフォームとして形成したことを特徴とするウレタン複合材。
【請求項２】
請求項１記載の低反発ウレタンフォームに高反発ウレタンフォームを積層したことを特徴とするウレタン複合材。
【発明の詳細な説明】
【０００１】
【発明の属する技術分野】
本発明は、低反発ウレタンフォームに吸水作用及び遠赤外線放射作用を有するセラミックス粉配合物を混在させたウレタン複合材に関する。
【０００２】
【従来の技術】
従来、枕、マットレス等の寝具類の形成用素材としてウレタンフォームが広く利用されている。
ウレタンフォームは、ポリウレタンを発泡成形したもので、ポリウレタンの原料であるジイソシアナートとグリコールの組合せや、これらの重合度を調整し、ガラス転移点を制御することによって、所望の反発弾性力を得ることが出来る。ガラス転移点を室温よりも低く設定した低反発ウレタンフォームは、形状記憶・追従特性が良く、肌触りがしっとりとして使い心地が良いことから、寝具類用の素材として近年特に注目を集めている。
【０００３】
【発明が解決しようとする課題】
ところが、低反発ウレタンフォームを寝具類に用いると、荷重で大きく陥没変形してその周囲が身体にまとわりつくため、夏期に暑苦しさを感じさせてしまい、又冬期に保温性を補おうとしてマットレス等の上に毛布等を敷くと、しっとりとした感触が損なわれてしまうため、これら問題点の改善が望まれていた。
【０００４】
【課題を解決するための手段】
本発明は、低反発ウレタンフォーム製の寝具類の使い心地を改善せねばならない課題に鑑み、ジルコニウム、アルミナ、珪素を主原料とするセラミックス粉にトルマリン鉱石粉を配合し、当該セラミックス粉配合物を添加したポリウレタン原料を発泡させ低反発ウレタンフォームとして形成することによって、低反発ウレタンフォームに上記組成のセラミックス粉配合物を混在させ、セラミックス粉配合物が発する遠赤外線で暖める。
又、セラミックス粉配合物を混在させた低反発ウレタンフォームに高反発ウレタンフォームを積層することによって、高反発ウレタンフォームを上側にし、低反発ウレタンフォームを下側にして使用させ、寝具類が身体にまとわりつくのを防止すると共に、下層のセラミックス粉配合物で汗を吸収し、清涼感を与える様にして、上記課題を解決する。
【０００５】
【発明の実施の形態】
以下本発明の一実施例を図面に基づいて説明する。
図１、２は本発明に係るウレタン複合材を模式的に示した断面図である。
図１に示すウレタン複合材１は、低反発ウレタンフォーム２に吸水作用及び遠赤外線放射作用を有するセラミックス粉配合物３、３ａ…を混在させたものであり、図２に示すウレタン複合材１は、上記の低反発ウレタンフォーム２に高反発ウレタンフォーム４を積層したものである。
【０００６】
セラミックス粉配合物３、３ａ…は、ジルコニウム、アルミナ、珪素を主原料とするセラミックス粉にトルマリン鉱石粉を配合したもので、夫々の配合割合としては、ジルコニウム、アルミナ、珪素を主原料とするセラミックス粉を８０〜９５重量部、トルマリン鉱石粉を５〜２０重量部とした範囲が良い。
又、ジルコニウム、アルミナ、珪素の割合は、夫々約２５重量部で、チタン、マグネシア、カリウム等を含んでいても良い。
セラミックス粉に配合したトルマリン（天然の電気石）は、その結晶の両端に正負極を有し、静置状態でも常に電子を放出することから、かかる電子が空気中の酸素分子等と結合してマイナイナスイオンが発生する。
【０００７】
一般のウレタンフォームは、ジイソシアナート、グリコール、水、触媒、整泡剤等から成るポリウレタン原料を混合・攪拌することで、ジイソシアナートとグリコールを重付加反応させると共に、水とジイソシアナートの反応で炭酸ガスを発生させ、かかる炭酸ガスで重付加反応途中の柔らかなポリウレタン樹脂を発泡させて形成されるが、本発明のウレタン複合材１は、上記のポリウレタン原料にセラミックス粉配合物３、３ａ…を添加し、これを反応させることで、発泡ポリウレタン中にセラミックス粉配合物３、３ａ…を均質に分散させ、形成される低反発ウレタンフォーム２中にセラミックス粉配合物３、３ａ…を混在させる様にしたものである。
形成されるウレタンフォームを、低反発性のものとするためには、ジイソシアナートとグリコールの組合せ、これらの重合度を調整すれば良く、従前の低反発ウレタンフォームと同様の条件に設定すれば良い。
又、低反発ウレタンフォーム２に高反発ウレタンフォーム４を積層する場合は、上記方法で作製した低反発ウレタンフォーム２に、別途作製した高反発ウレタンフォーム４を熱融着等の適宜方法で貼り付ける様にすれば良い。
【０００８】
次に本発明のウレタン複合材の作用について説明する。
ウレタン複合材１は、低反発ウレタンフォーム２を主素材としているから、外力を受けると容易に変形して様々な形状に追従し、外力が消滅すると、元形に復元する性質（形状記憶・追従特性）を有する。
又、低反発ウレタンフォーム２にセラミックス粉配合物３、３ａ…を混在させているから、室内空気で暖められたり、身体と接触して暖められると遠赤外線を放射し、かかる遠赤外線によって、ウレタン複合材１の温度は更に上昇する。
又、セラミックス粉の有する吸水作用によって、空気中の水分を吸収する。
【０００９】
【発明の効果】
要するに本発明は、ジルコニウム、アルミナ、珪素を主原料とするセラミックス粉にトルマリン鉱石粉を配合し、当該セラミックス粉配合物３、３ａ…を添加したポリウレタン原料を発泡させ低反発ウレタンフォーム２として形成したので、例えばこのウレタン複合材１でマットレスを形成すれば、低反発ウレタンフォーム２に混在させたセラミックス粉から遠赤外線を放出することから、冬でも充分暖かくマットレス上に毛布等を敷く必要がないため、身体とマットレスの間に邪魔なものがなく、低反発ウレタンフォーム２が身体形状に追従してピッタリとフィットし、しっとりとした感触が損なわれない。
又、セラミックス粉配合物３、３ａ…に配合したトルマリン鉱石粉がマイナスイオンを発生することからため、マイナスイオンの作用で使用者の新陳代謝を活性化し、血行を良くして、更に暖かく出来るだけでなく、健康の増進を図ることも出来る。
【００１０】
上記の低反発ウレタンフォーム２に高反発ウレタンフォーム４を積層したので、高反発ウレタンフォーム４を上側にし、低反発ウレタンフォーム２を下側にして使用すれば、枕や、マットレス等の寝具類が身体にまとわりつくのを防止することが出来、又身体から蒸散した汗を、上層の高反発ウレタンフォーム４を通して低反発ウレタンフォーム２のセラミックス粉配合物３、３ａ…で吸収できるため、身体と寝具類との接触部が蒸れず、頗る快適な使用感を得ることが出来る等その実用的効果甚だ大である。
【図面の簡単な説明】
【図１】本発明に係るウレタン複合材を模式的に示す図であり、１層構造のウレタン複合材の断面図である。
【図２】同上２層構造のウレタン複合材の断面図である。
【符号の説明】
１　　　　ウレタン複合材
２　　　　低反発ウレタンフォーム
３、３ａ…　セラミックス粉配合物
４　　　　高反発ウレタンフォーム
【図１】
2004033337.tif 000003
【図２】
2004033337.tif 000004